Podtech/llm-jp-corpus-v4-ja_patent huggingface dataset:
(57)【要約】【課題】  消臭効果を発揮する履物用中敷を提供する。【解決手段】  シート部材１１，１３は、足裏の形状をしている。シート部材１１,１３は重ね合わせた状態で、熱溶着されている。重ね合わされたシート部材１１，１３の間のつま先部と対向する位置に銅板２１が固定されている。【選択図】図１
2018086171.tif 000002
【特許請求の範囲】
【請求項１】
履物使用者の前踏部と土踏まず部と踵部に対応する足形外郭形状に形成され靴状の履物内底部に敷設される履物用中敷において、
銅板
を有する履物用中敷。
【請求項２】
前記銅板は、前記履物使用者のつま先部と対向して位置している
請求項１に記載の履物用中敷。
【請求項３】
通気性を持つ複数のシート部材を重ね合わせて構成され、
前記銅板は複数の前記シート部材の間に挟み込まれて保持されている
請求項１または請求項２に記載の履物用中敷。
【発明の詳細な説明】
【技術分野】
【０００１】
本発明は、履物用中敷に関するものである。
【背景技術】
【０００２】
靴の中敷き（インソール）に、足のつぼが位置される箇所に合わせて、焼結磁石を埋め込ませるなどして、使用者の足裏に磁気を作用させるようにしたものが知られている。（例えば、特許文献１参照）
【先行技術文献】
【特許文献】
【０００３】
【特許文献１】特開２００７−６１２３５号公報
【発明の開示】
【発明が解決しようとする課題】
【０００４】
ところで、従来の履物用中敷では、消臭効果が得られないという問題がある。
【０００５】
本発明はかかる事情に鑑みてなされたものであり、その目的は、消臭効果を発揮する履物用中敷を提供することにある。
【課題を解決するための手段】
【０００６】
上述した従来技術の問題点を解決し、上述した目的を達成するために、本発明は、履物使用者の前踏部と土踏まず部と踵部に対応する足形外郭形状に形成され靴状の履物内底部に敷設される履物用中敷であって、銅板を有する。
【０００７】
好適には、前記銅板は、前記履物使用者のつま先部と対向して位置している。
【０００８】
好適には、本発明は、通気性を持つ複数のシート部材を重ね合わせて構成され、前記銅板は複数の前記シート部材の間に挟み込まれて保持されている。
【発明の効果】
【０００９】
本発明によれば、消臭効果を発揮することができる。
【図面の簡単な説明】
【００１０】
【図１】図１は、本発明の実施形態に係る履物用中敷の正面図である。
【図２】図２は、図１に示す履物用中敷の図１に示すＡ−Ａ断面線における断面構成図である。
【発明を実施するための形態】
【００１１】
図１は、本発明の実施形態に係る履物用中敷１の正面図である。図２は、図１に示す履物用中敷１の図１に示すＡ−Ａ断面線における断面構成図である。
【００１２】
図１に示す履物用中敷１は、履物使用者の前踏部と土踏まず部と踵部に対応する足形外郭形状に形成され靴状の履物内底部に敷設されるものである。
図１に示すように、履物用中敷１は、例えば、２枚のシート部材１１，１３を有する。
シート部材１１とシート部材１３とは、足裏の形状をしており、略同一形状である。シート部材１１とシート部材１３とは重ね合わせた状態で、熱溶着されている。
【００１３】
重ね合わされたシート部材１１，１３の間のつま先部と対向する位置に銅板２１が固定されている。
【００１４】
履物用中敷１を履物に敷設した状態で履物使用者が履物を履くと、履物使用者がつま先部と銅板２１とが対向して位置し、消臭効果が発揮される。
【００１５】
以上説明したように、履物用中敷１によれば、消臭効果を発揮することができる。
【００１６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００１７】
例えば、上述した実施形態では、つま先部のみに銅板２１を設けた場合を例示したが、つま先部以外に土踏まず等の領域に銅板を設けてもよい。
【産業上の利用可能性】
【００１８】
本発明の靴等の履物用中敷に適用可能である。
【符号の説明】
【００１９】
１…履物用中敷
１１，１３…シート部材
２１…銅板
【図１】
2018086171.tif 000003
【図２】
2018086171.tif 000004
(57)【要約】【課題】天然ＮＭＮで安価に若返り効果を可能にするアンチエイジングのＮＭＮサプリメントの高額でないスムージーの製法を提供する。【解決手段】ゆでブロッコリー大サイズ4分の1、キャベツ小サイズ4分の1、アボカド大サイズ1個、皮つきリンゴ大サイズ1個、牛乳500ｃｃをミキサーにかけ、混ぜて天然のＮＭＮとケルセチンといった若返り成分を摂取することで老いた体を若い体に若返らせる天然の食材を使う天然ＮＭＮ成分入り若返りスムージー製法。【選択図】なし【特許請求の範囲】
【請求項１】
ゆでブロッコリー大サイズ4分の1、キャベツ小サイズ4分の1、アボカド大サイズ1個、皮つきリンゴ大サイズ1個、牛乳500ｃｃをミキサーにかけ、混ぜて天然のＮＭＮとケルセチンといった若返り成分を摂取することで老いた体を若い体に若返らせる天然の食材を使う天然ＮＭＮ成分入り若返りスムージー製法。
【発明の詳細な説明】
【技術分野】
【０００１】
本発明は、天然ＮＭＮ成分入り若返りスムージー製法に関する。
【背景技術】
【０００２】
従来、ＮＭＮサプリメント類はあったが天然のものはなかった。
【０００３】
【非特許文献１】「ＮＭＮを多く含む食品は？」ネット検索で
【非特許文献２】日経サイエンス2017年1月号52-59頁
【発明の開示】
【発明が解決しようとする課題】
【０００４】
従来、ＮＭＮはサプリメント類で摂取し高額だった。        
【課題を解決するための手段】
【０００５】
天然ＮＭＮを多く含んだ野菜果物で摂取し安価にした。
【発明の効果】
【０００６】
老いた体を若返らせ若い体を保てる。
【発明を実施するための最良の形態】
【０００７】
以下、本発明の実施例について時系列的に文章で説明する。ゆでブロッコリー大サイズ4分の1、キャベツ小サイズ4分の1、アボカド大サイズ1個、皮つきリンゴ大サイズ1個、牛乳500ｃｃをミキサーにかけ、混ぜて天然のＮＭＮとケルセチンといった若返り成分を摂取することで老いた体を若い体に若返らせる天然の食材を使う天然ＮＭＮ成分入り若返りスムージー製法。
【実施例】
【０００８】
上記の形態や非特許文献の改良の如く実施される。
【産業上の利用可能性】
【０００９】
ＮＭＮサプリメントだけでなく高額でない安価で天然のスーパーマーケットで買える食材からＮＭＮを摂取する効率のよい飲み物として野菜果物にしぼった新しいスムージーとして老人が増加する中、若返りを可能することによって誰でも加工でき飲料水需要が進む中この格安方法の需要の産業上の利用可能性は高いと解される。
(57)【要約】      （修正有）【課題】本発明は、排泄において、トイレ介助もオムツの使用も必要とすることなく、悪臭を激減し、使用者及び介助者の負担を軽減する槽を提供することである。さらに使用者が、災害時に放置されても、自然死しても、環境を汚しにくい仕組みになっている。【解決手段】消臭効果や吸水高価のある木・とう・段ボール・発泡スチロール・砂・土・炭・ブルーシートなどで排泄器官及び排泄物を覆う構造により、排泄における手間・悪臭などを激減させることが可能となる。【選択図】図１
2018086225.tif 000002
【特許請求の範囲】
【請求項１】
槽は、木・とう・段ボール・発泡スチロールなどで構成された折り畳める箱状のものがあり、そこに入る全裸・半裸の使用者の身体を、砂・土・炭・ブルーシートなどで半ば以上に埋めた寝床。
【請求項２】
請求項１に記載の、移動・外出する際に、自動車・車椅子・台車などに固定し、目隠しや雨よけを兼ねるカバーで覆う、移動型の槽。
【発明の詳細な説明】
【技術分野】
【０００１】      本発明は、排泄における手間と臭いの激減を図った介護に関する。
【背景技術】
【０００２】      従来の介護における排泄は、トイレ介助、もしくはオムツの使用が主であり、本人及び介護者に対し、多大な手間と悪臭を発生させるものである。
【発明の概要】
【発明が解決しようとする課題】
【０００３】      本発明は、排泄において、トイレ介助もオムツの使用も必要とすることなく、悪臭を激減し、使用者及び介助者の負担を軽減する槽を提供することである。さらに使用者が、災害時に放置されても、自然死しても、環境を汚しにくい仕組みになっている。
【課題を解決するための手段】
【０００４】      消臭効果や吸水高価のある木・とう・段ボール・発泡スチロール・砂・土・炭・ブルーシートなどで排泄器官及び排泄物を覆う構造により、排泄における手間・悪臭などを激減させることが可能となる。
【発明の効果】
【０００５】      上述したように本発明の砂蒸し介護は、トイレ介助もオムツの使用も必要とすることなく、悪臭を激減し、使用者及び介助者の負担を軽減する槽を提供できる。さらに槽を、移動・外出する際に、自動車・車椅子・台車などに固定し、目隠しや雨よけを兼ねるカバーで覆うことにより、移動型の槽も提供できる。
【図面の簡単な説明】
【０００６】
【図１】砂蒸し介護
【図２】外出用の砂蒸し介護
【図１】
2018086225.tif 000003
【図２】
2018086225.tif 000004
(57)【要約】      （修正有）【課題】屋内や屋外での集会、スポーツ観戦等において、設置する床面が傾斜していたり、段差や凹凸があっても設置可能な椅子を提供する。【解決手段】一本の伸縮脚１と、その上端部に掌合及び回転可能に枢着した腰掛け部分からなる一脚椅子において、設置する床面が傾斜していたり、段差や凹凸があっても、一脚であることから、伸縮脚１の脚部端点にて支持することにより支障なく設置出来る。【選択図】図１
2018086224.tif 000002
【特許請求の範囲】
【請求項１】
一本の伸縮脚と、その上端部に掌合及び回転可能に枢着した腰掛け部分からなる一脚椅子において、設置する床面が傾斜していたり、段差や凹凸があっても、一脚であることから、伸縮脚の脚部端点にて支持することにより支障なく設置出来ることを特徴とする一脚椅子。
【請求項２】
前記一脚椅子の腰掛け部分は、伸縮脚の左右に設置の緊張ベルトにより、腰掛け布が引き張られることにより、伸縮脚に対しＴ型をなし、かつ左右の緊張ベルトと腰掛け布にて三角型を構成することを特徴とする。
【発明の詳細な説明】
【技術分野】
【０００１】本発明は、一本の伸縮脚と、その上端部に掌合及び回転可能に枢着した腰掛け部分からなる一脚椅子に関する。
【背景技術】
【０００２】椅子に関する先行技術は多くあるが、一脚にて支持する椅子に関し、特に記載すべき先行技術文献はない。
【発明の概要】
【発明が解決しようとする課題】
【０００３】屋内や屋外での集会、スポーツ観戦等において公設ベンチが無い所で腰掛ける場合は、折畳み椅子、３本脚椅子、箱型折畳み椅子等を用いるが、これらの椅子は辺や数点で支持することから設置する床面が傾斜していたり、段差や凹凸があると椅子面が斜めになったり、設置不能となることがある。【０００４】前記椅子の腰掛け部分は、脚部の部材に緊結されているために使用時に脚の垂線が傾くと、腰掛け部分も傾き、水平性及び安定性を欠く難点がある。
【課題を解決するための手段】
【０００５】一本の伸縮脚と、その上端部に掌合及び回転可能に枢着した腰掛け部分からなる一脚椅子において、設置する床面が傾斜していたり、段差や凹凸があっても、一脚であることから、伸縮脚の脚部端点にて支持することにより支障なく設置出来ることを特徴とする。【０００６】前記一脚椅子の腰掛け部分は、伸縮脚の左右に設置の緊張ベルトにより、腰掛け布が引き張られることにより、伸縮脚に対しＴ型をなし、かつ左右の緊張ベルトと腰掛け布にて三角型を構成することを特徴とする。【０００７】前記一脚椅子の伸縮脚は、その長さを数段階に伸縮する装置を設けて、椅子の高さを、使用する人の座高に近ずけることにより、一本の伸縮脚と椅子を使用する人の脚によって安定を保つとともに垂直性を得ることを特徴とする。
【発明の効果】
【０００８】一本の伸縮脚と、その上端部に掌合及び回転可能に枢着した腰掛け部分からなる一脚椅子において、設置する床面が傾斜していたり、段差や凹凸があっても、一脚であることから、伸縮脚の脚部端点にて支持することにより支障なく設置出来る。
【発明を実施するための形態】
【０００９】本発明は一本の伸縮脚と、その上端部に掌合及び回転可能に枢着した腰掛け部分からなる一脚椅子であり、以下に添付図の符号を付して説明する。
【００１０】  伸縮脚１をなす外脚１ａは角形や丸形の中空管からなり、外脚１ａの内径部に角形や丸型の内脚１ｂを差し込み、内脚１ｂが外脚の中空部の中を上下に移動することにより伸縮の特性を生ずる。伸縮長の調節は外脚１ｂに空けられたレベル用差しピン孔３に、内脚１ａに設置のバネ式等のレベル止め用差しピン２が差し込まれることにより行う。
【００１１】腰掛け部分の腰掛け布４は、外脚１ａに枢着したフレーム力骨５に遊離に固定され、フレーム力骨５が腰掛け部分の折畳み等により移動する場合に  腰掛け布４はフレーム力骨５とは同調せず遊離に回転する。
【００１２】緊張ベルト６ａの一端は伸縮脚１をなす外脚１ａに設置されたベルト止め金具７に取付けて、他の一端は腰掛け布４を取付けたフレーム力骨５に遊離に固定する。
【００１３】緊張ベルト６ｂの一端は伸縮脚１をなす外脚１ａに設置のベルト止め金具７に取付けて、他の一端は腰掛け布４を取付けたフレーム力骨５に遊離に固定し、さらに、緊張力を得るために引寄せ機能付連結金具８を設ける。
【００１４】緊張ベルト６ａ、６ｂは分離可能な連結金具８，９によって結合されて各々が一本のベルトをなす
【００１５】腰掛け布４及び緊張ベルト６ａ、６ｂの着脱はフレーム力骨５を繋ぐフレーム連結金具１０によりフレーム力骨５を分離することにより行う。
【００１６】上記外脚１ａの内径面と内脚１ｂの外径面に生ずる隙間には、外脚１ａの下端に外脚用セパレーターキャップ１１を設置し、内脚１ｂの上端部に内脚用セパレーターキャップ１２を設置することにより、内脚１ｂが移動可能な最小離れを保持させて外脚１ａと内脚１ｂ相互の、がたつきを抑制する。
【００１７】伸縮脚１をなす外脚１ａ及び内脚１ｂは鋼製、樹脂製等を用いる。
【００１８】緊張ベルトは布製、ゴム製、ビニル製、金属製等を用い、断面は平型、丸形等とする。
【産業上の利用分野】
【００１９】本発明は、一本の伸縮脚と、その上端部に掌合及び回転可能に枢着した腰掛け部分からなる一脚椅子に関する。
【図面の簡単な説明】
【図１】同実施例の正面図
【図２】同実施例の内側面図
【図３】同実施例の外側面図
【図４】同実施例の伸縮脚断面図
【図５】同実施例の腰掛け布平面図
【図６】同実施例のフレーム平面図
【図７】同実施例の折畳み図
【図８】同実施例の使用形態図
【符号の説明】１…伸縮脚                            ７…ベルト止め金具
１ａ…外脚                            ８…引寄せ装置付連結金具
１ｂ…内脚                            ９…連結金具
２…レベル止め用差しピン            １０…フレーム分離金具
３…レベル用差しピン孔              １１…外脚用セパレーターキャップ
４…腰掛け布                        １２…内脚用セパレーターキャップ
５…フレーム力骨
６ａ…緊張ベルト
６ｂ…緊張ベルト
【図１】
2018086224.tif 000003
【図２】
2018086224.tif 000004
【図３】
2018086224.tif 000005
【図４】
2018086224.tif 000006
【図５】
2018086224.tif 000007
【図６】
2018086224.tif 000008
【図７】
2018086224.tif 000009
【図８】
2018086224.tif 000010
(57)【要約】      （修正有）【課題】ホコリ等がたまることなく、清潔、衛生的であり、一目で目的の調味料チューブを見つけられ、調味料チューブ中身残量の確認がすぐ出来る調味料チューブ用収納具を提供する。【解決手段】一本の針金材を用いた線状形成体の中に、フック部７と全く対称的な二つの螺旋形ポケット部３を形成し、これを冷蔵庫内収納ポケットの縁にフック部７を掛け留めて装着し、螺旋形ポケット部３に調味料チューブを逆さにして収納するという形で使用することを特徴とする調味料チューブ用収納具。【選択図】図１
2018063103.tif 000002
【特許請求の範囲】
【請求項１】
一本の針金材を用いた線状形成体を平面に立て置いた場合において、数センチを隔てる左右二点が、一方から他方へ相互に起点・終点の関係の中で、連続一体的に描く軌跡がぴったり左右対称になる様に形成されているのであるが、
起点は同時に中心点として１センチ径足らずの渦巻きを形成して底部を成し、
渦巻きの終端から垂直上方向に螺旋状に数センチ上昇して螺旋形ポケット部を成し、
螺旋形ポケット部の上端から直線状に垂直上方向へ更に数センチ上昇してフック部垂直片を成し、
フック部垂直片の上端から、螺旋形ポケット部に直交的に外側真反対方向へ数ミリ進んでフック部水平片を成し、
フック部水平片の終端から再び垂直下方へ進んで、同じ長さのもう一つのフック部垂直片を成し、
このフック部垂直片及びフック部水平片に共に直交しつつ、対称的な相手側方向へ水平に進んで対称連結片を成し、
この対称連結片の中間地点から、全く同じ軌道を逆進する形で終点に至る、
かくして、フック部垂直片とフック部水平片と対称連結片から成るフック部の左右に連なって、全く対称的な二つの螺旋形ポケット部が形成されるのであり、
これを冷蔵庫内の収納ポケットの縁にフック部を掛け留めて装着し、螺旋形ポケット部に調味料チューブを逆さにして収納するという形で使用するのである、ということを特徴とする調味料チューブ用収納具である。
【発明の詳細な説明】
【技術分野】
【０００１】  本発明は、冷蔵庫内に清潔に調味料チューブを納める簡易収納専用フックに関するものである。
【背景技術】
【０００２】  従来、調味料チューブは冷蔵庫内にそのままか、空き瓶や箱形等に複数本入れられドアポケットなどに納められていた。
【先行技術文献】
【０００３】
【発明の概要】
【発明が解決しようとする課題】
【０００４】  空き瓶や箱形等のものでは、内側底部、またその四隅にホコリ等がたまり、清潔、衛生的でなかった。
そのため、次のような問題点があった。
（イ）空き瓶や箱形等のものでは、内側底部、またその四隅にホコリ等がたまり、清潔度が低かった。
（ロ）一目で目的の調味料チューブをすぐ取り出せなかった。
（ハ）冷蔵庫内のドアポケット収納部分が有効に、活用できていなかった。
【課題を解決するための手段】
【０００５】  一本の針金材を用いた線状形成体を平面に立て置いた場合において、数センチを隔てる左右二点が、一方から他方へ相互に起点・終点の関係の中で、連続一体的に描く軌跡がぴったり左右対称になる様に形成されている。
起点は同時に中心点として１センチ径足らずの渦巻きを形成して底部を成し、渦巻きの終端から垂直上方向に螺旋状に数センチ上昇して螺旋形ポケット部を成し、螺旋形ポケット部の上端から直線状に垂直上方向へ更に数センチ上昇してフック部垂直片を成し、フック部垂直片の上端から、螺旋形ポケット部に直交的に外側真反対方向へ数ミリ進んでフック部水平片を成し、フック部水平片の終端から再び垂直下方へ進んで、同じ長さのもう一つのフック部垂直片を成し、このフック部垂直片及びフック部水平片に共に直交しつつ、対称的な相手側方向へ水平に進んで対称連結片を成し、この対称連結片の中間地点から、全く同じ軌道を逆進する形で終点に至る。
かくして、フック部垂直片とフック部水平片と対称連結片から成るフック部の左右に連なって、全く対称的な二つの螺旋形ポケット部が形成されるのであり、これを冷蔵庫内収納ポケットの縁にフック部を掛け留めて装着し、螺旋形ポケット部に調味料チューブを逆さにして収納するという形で使用するのである。
以上を特徴とする調味料チューブ用収納具である。
【発明の効果】
【０００６】  本発明は、冷蔵庫内における複数の調味料チューブの収納において、整理整頓の助けになり、一目で目的の品をすばやくみつけられて、使い勝手がよくなる。また空き瓶や箱型のものに収納することにより現れる内部底部、またその四隅にいつのまにかホコリ等が、たまるということのない、清潔で衛生度の高いものを提供する。
【図面の簡単な説明】
【０００７】
【図１】本発明の斜視図
【図２】本発明の使用状態を示す斜視図
【発明を実施するための形態】
【０００８】  以下、本発明の実施の形態について説明する。
一本の針金材を用いた線状形成体を平面に立て置いた場合において、数センチを隔てる左右二点が、一方から他方へ相互に起点・終点の関係の中で、連続一体的に描く軌跡がぴったり左右対称になる様に形成されている。
起点は同時に中心点（１）として１センチ径足らずの渦巻きを形成して底部（２）を成し、渦巻きの終端から垂直上方向に螺旋状に数センチ上昇して螺旋形ポケット部（３）を成し、螺旋形ポケット部（３）の上端から直線状に垂直上方向へ更に数センチ上昇してフック部垂直片（４）を成し、フック部垂直片（４）の上端から、螺旋形ポケット部（３）に直交的に外側真反対方向へ数ミリ進んでフック部水平片（５）を成し、フック部水平片（５）の終端から再び垂直下方へ進んで、同じ長さのもう一つのフック部垂直片（４）を成し、このフック部垂直片（４）及びフック部水平片（５）に共に直交しつつ、対称的な相手側方向へ水平に進んで対称連結片（６）を成し、この対称連結片（６）の中間地点から、全く同じ軌道を逆進する形で終点に至る。
かくして、フック部垂直片（４）とフック部水平片（５）と対称連結片（６）から成るフック部（７）の左右に連なって、全く対称的な二つの螺旋形ポケット部（３）が形成されるのであり、これを冷蔵庫内収納ポケット（９）の縁にフック部（７）を掛け留めて装着し、螺旋形ポケット部（３）に調味料チューブ（８）を逆さにして収納するという形で使用するのである。
本発明は、以上のような構成であり、以下その具体的な使用方法について説明する。
このような螺旋形ポケット部になっていることによって、面がなく線体であるため調味料チューブを収納している時、目的のものをすばやく一目で見つけられる。また調味料チューブ内残量も確認しやすい。さらには箱型等のように面がなく、線体の螺旋形ポケット部であるため、底部及び四隅にホコリ等が溜まる事もなく、清潔で衛生度の高い調味料チューブ用収納具として本発明は使用できる
【符号の説明】
【０００９】１  中心点，２  底部，３  螺旋形ポケット部，４  フック部垂直片，
５  フック部水平片，６  対称連結片，７  フック部，８  調味料チューブ，
９  冷蔵庫内収納ポケット，
【図１】
2018063103.tif 000003
【図２】
2018063103.tif 000004
(57)【要約】      （修正有）【課題】頭付ボルトをねじ込んだとき、振動等により生じる緩みを確実に、しかも簡単な作業により制止するものである。【解決手段】頭付ボルトの緩み止めの構造において、頭付ボルト１の頭部上面にボルトのねじ外径と同寸法の円形の罫描線を描き、この線上の１８０°相対する２ケ所の位置よりボルト頭部２を貫通して、その下面３より深くまで垂直に２本の錐孔４を穿孔しておき、頭付ボルトを上部材１３のボルト孔１４を通して、その下の下部材１６の雌ネジ１７にねじ込んだ後、この２本の錐孔を通して上部材のボルト孔１４の入口角部１５に向って門形釘５を打込み、その門形釘の両足先端の楔部角の切刃９をそこに食込ませて、上部材に頭付ボルトを結合させて、その回転を阻止し、更に押え込み金具１０により門形釘を押圧して、その脱落を阻止するようにする。【選択図】図１
2018063043.tif 000002
【特許請求の範囲】
【請求項１】
頭付ボルトの緩み止めの構造において、頭付ボルト（１）の頭部上面の中央部に門形釘（５）の押え込み金具（１０）を設置し、その周りにボルトのねじ外径と同寸法の円形の罫描線を描き、この線上の１８０°相対する２ケ所の位置よりボルト頭部（２）を貫通して、その下面（３）より深くまで垂直に２本の錐孔（４）を穿孔しておき、頭付ボルトを上部材（１３）のボルト孔（１４）を通して、その下の下部材（１６）の雌ネジ（１７）にねじ込んだ後、この２本の錐孔を通して上部材のボルト孔（１４）の入口角部（１５）に向って門形釘（５）を打込み、その門形釘の両足先端の楔部角の切刃（９）をそこに食込ませて、上部材に頭付ボルトを結合させて、その回転を阻止する、このとき門形釘の中央部（６）は押え込み金具の支持腕（１１）内にあり、この中央部を掩うように押え腕（１２）を折曲げて、強く押圧して門形釘の脱落を阻止することにより、上部材に対して確実に頭付ボルトを結合させるようにした頭付ボルトの緩み止めの構造。
【発明の詳細な説明】
【技術分野】
【０００１】  本発明は並目、細目等の頭付ボルトの緩み止めを行う方法である。
【背景技術】
【０００２】  頭付ボルトの緩み止めの方法としては座金を上部材に固定し、この座金を折り曲げる等の方法によりボルトの頭の回転を阻止するものがあるが、締付けた時の頭の角度によっては確実に回り止めを行うことが困難なこともある。
【発明の開示】
【発明が解決しようとする課題】
【０００３】  頭付ボルトをねじ込んだとき、振動等により生じる緩みを確実に、しかも簡単な作業により制止することが必要である。
【課題を解決するための手段】
【０００４】  頭付ボルトの緩み止めの構造において、頭付ボルト１の頭部上面の中央部に門形釘５の押え込み金具１０を設置し、その周りにボルトのねじ外径と同寸法の円形の罫描線を描き、この線上の１８０°相対する２ケ所の位置よりボルト頭部２を貫通して、その下面３より深くまで垂直に２本の錐孔４を穿孔しておき、頭付ボルトを上部材１３のボルト孔１４を通して、その下の下部材１６の雌ネジ１７にねじ込んだ後、この２本の錐孔を通して上部材のボルト孔１４の入口角部１５に向って門形釘５を打込み、その門形釘の両足先端の楔部角の切刃９をそこに食込ませて、上部材に頭付ボルトを結合させて、その回転を阻止する、このとき門形釘の中央部６は押え込み金具の支持腕１１内にあり、この中央部を掩うように押え腕１２を折曲げて、強く押圧して門形釘の脱落を阻止することにより、上部材に対して確実に頭付ボルトを結合させるようにした頭付ボルトの緩み止めの構造。
【発明の効果】
【０００５】  本発明の実施により頭付ボルトを強く締め込んだ後、簡単な方法で確実な緩み止めが可能になる。
【図面の簡単な説明】
【０００６】
【図１】本発明の実施形態の一例として、頭付ボルトをねじ込んだ後、その頭部より門形釘を打込み、その門形釘を押え込み金具で押圧した状態の縦断面図
【図２】図１の平面図
【図３】図１の側面図
【図４】本発明の実施形態の一例として門形釘の正面図
【図５】図４の底面図
【図６】図４の側面図
【図７】本発明の実施形態の一例として押え込み金具の正面図
【図８】図７の平面図
【図９】図７の側面図
【発明を実施するための形態】
【０００７】  頭付ボルト１の頭部上面の中央部に門形釘５の押え込み金具１０を設置し、その周りにボルトのねじ外径と同寸法の円形の罫描線を描き、この線上の１８０°相対する２ケ所の位置よりボルト頭部２を貫通して、その下面３より深くまで垂直に２本の錐孔４を穿孔しておき、頭付ボルトを上部材１３のボルト孔１４を通して、その下の下部材１６の雌ネジ１７にねじ込んだ後、この２本の錐孔を通して上部材のボルト孔１４の入口角部１５に向って門形釘５を打込み、その門形釘の両足先端の楔部角の切刃９をそこに食込ませて、上部材に頭付ボルトを結合させて、その回転を阻止する。
【０００８】  このとき門形釘の中央部６は押え込み金具の支持腕１１内にあり、この中央部を掩うように押え腕１２を折曲げて、強く押圧して門形釘の脱落を阻止することにより、上部材に対して確実に頭付ボルトを結合させるようにする。
【０００９】  押え込み金具１０は鉄板の打抜きにより製作し、抵抗熔接等により頭付ボルトの頭部に強固に固定できるため、頭付ボルトの製作費はほとんど増加させない。
【００１０】  本発明は門形釘の打込みと押え込み金具による押圧の簡単な作業により、確実に頭付ボルトの緩み止めを行うことができる大きな特徴をもっている。
【符号の説明】
【００１１】  １・・・頭付ボルト                      ２・・・ボルト頭部
３・・・ボルト頭部下面                  ４・・・頭付ボルトの錐孔
５・・・門形釘                          ６・・・門形釘の中央部
７・・・門形釘の両足                    ８・・・門形釘の両足先端の楔部
９・・・楔部角の切刃                  １０・・・押え込み金具
１１・・・押え込み金具の支持腕          １２・・・押え込み金具の押え腕
１３・・・上部材                        １４・・・上部材のボルト孔
１５・・・ボルト孔の入口角部            １６・・・下部材
１７・・・下部材の雌ねじ
【図１】
2018063043.tif 000003
【図２】
2018063043.tif 000004
【図３】
2018063043.tif 000005
【図４】
2018063043.tif 000006
【図５】
2018063043.tif 000007
【図６】
2018063043.tif 000008
【図７】
2018063043.tif 000009
【図８】
2018063043.tif 000010
【図９】
2018063043.tif 000011
(57)【要約】【課題】学校施設から所定の距離内に入った学生生徒に対し、適切な施設情報を通知することで、施設利用率を向上させる、学生生徒誘導システムを提供する。【解決手段】情報端末と、電波発信装置と、サーバとがネットワークを介して通信可能な状態で接続されてなる学生生徒誘導システムが提供される。情報端末は電波発信装置の電波を受信し、サーバに対して電波発信装置の電波範囲内に入域した旨を通知する。サーバは入域情報を受信し、情報端末を所有する学生生徒を特定した上で、その学生生徒に対し施設情報をプッシュ型通知により送信する。さらにサーバは入域情報から施設の混雑度を推定したり、既に送信した施設情報を重複して送信しないように判断することもできる。【選択図】なし【特許請求の範囲】
【請求項１】
情報端末と、電波発信装置と、サーバとがネットワークを介して通信可能な状態で接続されてなる学生生徒誘導システムであって、
前記電波発信装置は、
学校施設の所定の場所に固定的に配置され、
所定の距離範囲に対して電波を発信する電波発信手段を含み、
前記情報端末は、
事前にインストールされたアプリケーションを介して前記電波発信装置が発信した電波を受信する電波受信手段と、
前記電波発信装置の電波到達範囲に入った旨を前記サーバに対して通知する入域情報通知手段と
を含み、
前記サーバは、
前記情報端末からの入域情報を受信する入域情報受信手段と、
入域情報を通知した前記情報端末の保有者である学生生徒を特定する入域者特定手段と、
特定した学生生徒に対して有用と思われる施設情報を分析および生成する施設情報生成手段と、
前記情報端末にインストールされたアプリケーションに対して施設情報をプッシュ型通知により送信する施設情報送信手段と
を含む、学生生徒誘導システム。
【請求項２】
前記施設情報生成手段は、
入域情報からその施設の混雑度を推定する、
請求項１に記載の学生生徒誘導システム。
【請求項３】
前記施設情報生成手段は、
前記入域者特定手段により特定した学生生徒に、既に送信した施設情報を重複して送信しないように判断する、
請求項１に記載の学生生徒誘導システム。
【発明の詳細な説明】
【技術分野】
【０００１】本発明は、情報端末および電波発信装置を利用した学校施設への学生生徒誘導システムに関する。
【背景技術】
【０００２】近年、大学その他学校期間においては、図書館や食堂、その他レクリエーション施設を新設し、学生生徒へのサービス向上に取り組んでいる。【０００３】しかし、学生生徒側に施設の存在、利用方法、施設で開催されるイベント等を電子メールで通達するも、開封されない、開封されても適切な時期ではないなどの原因により、利用率が上がらないという問題があった。【０００４】この改善策として、現在では大多数の学生生徒が保有する情報端末にインストールされたアプリケーションと電波発信装置を利用して、施設周辺を通行する学生生徒に対し、プッシュ型通知を行う方法がある。
【発明の概要】
【発明が解決しようとする課題】
【０００５】解決しようとする問題点は、学生生徒にとって有用な施設情報を的確に通知できない点である。
【課題を解決するための手段】
【０００６】本発明は、学籍番号等の固有な識別番号によって特定された学生生徒に対し、情報端末内のアプリケーションへのプッシュ型通知で、その学生生徒に適した施設情報を発信することを主要な特徴とする。
【発明の効果】
【０００７】本発明によれば、学生生徒に対し、適切な場所および時期で、有用な施設情報を発信するシステムが提供される。
(57)【要約】      （修正有）【課題】マスク着用に際し、マスクの内側に挟み込んで使用するマスクインパットを提供する。【解決手段】マスク内に収まるサイズの通気性のよい衛生不繊紙等を用いて制作する。消臭効果を持たせる、或いはハーブの香り等をつけ、マスク内を爽やかに、快適にする。【選択図】図１
2018111911.tif 000002
【特許請求の範囲】
【請求項１】
マスク着用時、マスク内の快適さを維持する目的で、マスク内部に挟んで使う消臭性、或いは爽やかな香りを付けた衛生不繊紙等で制作するマスクインパットの提供
【発明の詳細な説明】
【技術分野】
【０００１】マスクに関連する衛生用品
【発明の概要】
【発明が解決しようとする課題】
【０００２】マスクの長時間着用、或いは、外していたマスクを再装着する際、自分の使用したマスクではあるが、マスク内環境の衛生感や臭いが気になることが多く、抵抗感もある
【課題を解決するための手段】
【０００３】ティッシュペーパーより少し厚めで、通気性が良く肌に優しい衛生不繊紙等に、消臭効果、或いはハーブの香り等を付けた、マスク内にジャストに収まるマスクイン、ペーパーマットの提供
【発明の効果】
【０００４】マスクの内側に本商品を挟むことにより、再装着時の不快感を、長時間使用する際の不快感を払拭することが可能になる。又、消臭効果を持たせる、又はハーブ等のさわやかな香りを付けて提供し、マスク内環境をより心地良く爽やかさを提供できる
【発明を実施するための手段】
【０００５】ポケットティシュのように多枚数をケースに収め、バッグやポケットに入れて持ち歩き、再着用時、或いはマスク内に不快を感じるたびに交換して挟むようにする。用紙の性質上ずれてくることは少ないが裏面に小さな粘着テープを付けてマスクに付けての使用も考えられる
【図面の簡単な説明】
【０００６】
【図１】斜視図
【図２】使用図
【図１】
2018111911.tif 000003
【図２】
2018111911.tif 000004
(57)【要約】【課題】立体像の着脱や、別の立体像への交換作業を簡単に行うことができる立体像の支持構造を提供する。【解決手段】立体像１は免震ゴムからなる支持棒２が埋め込まれ、立体像１の下面からその一部が突出している。一方、台座５の上面には立体像１から突出した支持棒２の先端部を嵌合するために溝６が形成されている。支持棒２を嵌合させた状態で立体像１の下面と台座５の上面には隙間が設けられる。これにより、立体像１は支持棒２を介して台座５の上面から浮き上がった状態で着脱自在に支持されるようになっている。【選択図】図１
2018111942.tif 000002
【特許請求の範囲】
【請求項１】
立体像と、
立体像の下面から一部が突出するように埋め込まれた免震ゴムからなる支持棒と、
前記立体像から突出した前記支持棒の先端部を嵌合するために形成された溝を有する台座と、を備え、
前記立体像が前記支持棒を介して前記台座の上面から浮き上がった状態で着脱自在に支持されることを特徴とする立体像の支持構造。
【請求項２】
前記立体像に埋め込まれた支持棒の側面に形成された穴に挿入され、前記支持体と共に前記立体像に埋め込まれた固定棒を備えることを特徴とする請求項１に記載の立体像の支持構造。
【請求項３】
前記支持棒の上下方向に埋め込まれた心棒を備えることを特徴とする請求項１又は２に記載の立体像の支持構造。
【発明の詳細な説明】
【技術分野】
【０００１】
本発明は、立体像の支持構造に関する。
【背景技術】
【０００２】
従来、モニュメント等の立体像は台座の上に支持された状態で設置されている。例えば、墓石の支持構造に関して、特許文献１には、地震の揺れによる墓石の倒壊を防止するために、竿石に支持ボルトを取り付け、台石のボルト孔に支持ボルトを挿入し、支持ボルトの下端にナットを螺合して補強した石材構造物が記載されている。
【０００３】
また、特許文献２には、高い免震性を得るとともに墓石全体の地震による倒壊を防止するために、竿石に埋め込まれた筒状金具に台石側に設けられた棒状金具を挿入することで両者を着脱自在に接続するとともに、竿石と上台の接触面には両金具と別途に減衰ゴムが設置された墓石の免震構造が記載されている。
【先行技術文献】
【特許文献】
【０００４】
【特許文献１】特開２００６−２２４８７号公報
【特許文献２】特開２０１４−２０１０８号公報
【発明の概要】
【発明が解決しようとする課題】
【０００５】
しかしながら、特許文献１に記載された支持構造においては、支持ボルトにナットを螺合しているので、竿石の着脱作業は簡単ではない。
【０００６】
特許文献２に記載された支持構造おいては、竿石に埋め込まれた筒状金具に台石側に設けられた棒状金具を挿入するので、重い竿石と一体になった細長の筒状金具に細長の棒状金具を着脱する作業は必ずしも簡単ではない。また、免震ゴムを金具とは別途に設置しているので部品点数が多くなるという問題もあった。
【課題を解決するための手段】
【０００７】
上述の課題に鑑み、本発明の立体像の支持構造は、立体像と、立体像の下面から一部が突出するように埋め込まれた免震ゴムからなる支持棒と、前記立体像から突出した前記支持棒の先端部を嵌合するために形成された溝を有する台座と、を備え、前記立体像が前記支持棒を介して前記台座の上面から浮き上がった状態で着脱自在に支持されることを特徴とする。
【発明の効果】
【０００８】
本発明の立体像の支持構造によれば、立体像に埋め込まれた支持棒を台座の溝に嵌合させるので、立体像の着脱や、別の立体像への交換作業を簡単に行うことができる。また、支持棒を免震ゴムで構成しているので、高い免震性を得るとともに部品点数を削減することができる。
【図面の簡単な説明】
【０００９】
【図１】本発明の実施形態における立体像の支持構造の正面図である。
【図２】本発明の実施形態における立体像の平面図である。
【図３】本発明の実施形態における断面図である。
【発明を実施するための形態】
【００１０】
本発明の実施形態における立体像の支持構造を図１乃至図３に基づいて説明する。図１は立体像の支持構造の正面図、図２は立体像の平面図（上面図）、図３は図２のＡ−Ａ線における断面図である。立体像１には、各種のモニュメント、人物像、動物像、キャラクター像等が含まれる。
【００１１】
図示のように、立体像１には免震ゴムからなる支持棒２が埋め込まれ、立体像１の下面からその一部が突出している。免震ゴム素材としては、例えば、ウレタンゴム  Ｒ−４０が適している。立体像１は、コンクリート、樹脂、ゴム等で形成されており、予め支持棒が設置された立体像１の型の中に液状のコンクリート等が流し込まれ、乾燥固形化されることで、支持棒２と一体に形成される。
【００１２】
また、鉄やステンレス等の金属等からなる固定棒３を立体像１に埋め込まれた支持棒３の側面に形成された穴に挿入し、この固定棒３を支持棒２と共に立体像１に埋め込むことで、アンカー効果により支持棒２の抜け落ちや回転を確実に防止することができる。この場合、この穴を貫通穴として、支持棒２を貫通させれば支持棒２を立体像１の中に強固に固定することができる。支持棒２は円筒形、角柱形等の形状を有している。
【００１３】
さらに、支持棒２の上下方向に可撓性を有する心棒４を埋め込むことにより、支持棒２の免震機能を損なわずに強度を持たせることができる。この心棒４も鉄やステンレス等の金属等で形成される。
【００１４】
一方、台座５の上面には立体像１から突出した支持棒２の先端部を嵌合するために溝６が形成されている。支持棒２を嵌合させた状態で立体像１の下面と台座５の上面には隙間が設けられる。これにより、立体像１は支持棒２を介して台座５の上面から浮き上がった状態で着脱自在に支持され、地震等により振動が加わった時に支持棒２がゆるやかに揺動することで、立体像１の振動を抑制して倒壊や破損を防止することができる。台座５は、立体像１を支えるためにコンクリート等からなる重量物で構成されている。
【００１５】
以上説明したように、本発明の実施形態による立体像の支持構造によれば、立体像１に埋め込まれた支持棒２を台座５の溝６に嵌合させるので、立体像１の着脱や、別の立体像１への交換作業を簡単に行うことができる。
特に、立体像１が流行性や季節性を有するなどの理由により立体像１の交換頻度が多い場合に便利である。
【００１６】
また、支持棒２そのものを免震ゴムで構成しているので、別途に免震ゴムを立体像１と台座５の間に設置するなどの必要はなく、高い免震性を得るとともに部品点数を削減することができる。
【符号の説明】
【００１７】
１  立体像
２  支持棒
３  固定棒
４  心棒
５  台座
６  溝
【図１】
2018111942.tif 000003
【図２】
2018111942.tif 000004
【図３】
2018111942.tif 000005
(57)【要約】      （修正有）【課題】墜落の危険を大幅に減少させた無人航空機の制御方式を提供する。【解決手段】ドローン１に搭載した圧縮空気タンク５が非常時を検知してノズル６から圧縮空気７を地上に向けて噴射させ落下速度を落として着地させる。ドローンの飛行エリアに制限を与えることが無く、故障などの異常時でも墜落のリスクを大幅に減少させることができる。コントローラーと異常状態に陥ったかを常時監視している異常検知部で異常を検知して墜落の危険を判断し圧縮空気タンクにノズルへ噴射するように指示を出す制御をする。【選択図】図３
2018111474.tif 000002
【特許請求の範囲】
【請求項１】
墜落による落下リスクを低減させる圧縮空気タンクと地上に向けて圧縮空気を噴射させる制御装置を備えた無人航空機。
【請求項２】
圧縮空気タンクから圧縮空気を送り風船を膨らませ無人航空機を包み込む装置を備えた無人航空機。
【発明の詳細な説明】
【技術分野】無人航空機に搭載の動力源昨日喪失などから浮力が無くなり落下のリスク低減化を行う装置に係るもの
【背景技術】図１に示すような落下傘による落下速度を落として着陸させるものや図２のようなドローンに紐をつないで落下を防ぐものがある。
【発明が解決しようとする課題】
落下傘では、高度が低いのでうまく開かない可能性が高い。
ドローンに紐を付けた場合、飛行エリアが限定されてしまう欠点を有している。
【課題を解決するための手段】
ドローンに装着した空気圧縮装置から電源喪失を検知して空気を地上側に逆噴射させ機体をゆっくり降下させて着陸させるようにした装置。
【発明の効果】
落下から来る被害リスクを低減させることができる。
【図面の簡単な説明】
【図１】落下傘による方式の従来方法
【図２】ひもを取付けた方式の従来方法
【図３】空気圧縮装置を設けたドローン
【図４】具体的実施例
【図５】被害リスクを低減させる別な実施例
【発明を実施するための形態】
ドローンの故障を検知する手段を備え、検知信号を受け空気圧縮装置を作動させて落下速度を安全速度まで落として着陸させる。
【従来例１】
図１は１のドローンに２の落下傘を取付けてゆっくり降下させて着地できる例を示す。
欠点として、落下傘がドローンが飛行する高度が低いのでうまく開かないまたは開くまでの時間を要するなどの問題が残る。
【従来例２】
別な従来例を図２に示す。１のドローンに４の動力供給を兼用したワイヤーを取付けたものでワイヤーは３の稼働クレーンに接続されている。
欠点として、落下の危険性は無いが飛行エリアが制限される問題が残る。
【実施例１】図３に本請求項の実施例を示す  １のドローンに搭載した５の圧縮空気タンクが非常時を検知して６のノズルから７に示す圧縮空気を地上に向けて噴射させ落下速度を落として着地させる。ドローンの飛行エリアに制限を与えることが無く、故障などの異常時でも墜落のリスクを大幅に減少させることができる。
図４に実施例の詳細を示す。８は１のドローンを飛行させるためのコントローラーで９のバッテリーと共にドローンに搭載されている。８は操作を行う者からの送信データーを受け取るまたはドローンからの状態信号を送る１０の送受信アンテナと飛行制御を行う１１のセンサー群、１２の動力用モーターと接続されている。１３はコントローラーと異常状態に陥ったかを常時監視している１４の異常検知部で異常を検知して墜落の危険を判断し５の圧縮空気タンクに６のノズルへ噴射するように指示を出す制御を司る。
異常検知部の電源は信頼性の高いキャパシター電池などから供給される。
また異常検知部にはゆっくり降下できるように噴射量制御機能が備わっている。
【実施例２】図５に別の実施例を示す。１のドローン墜落を検知して１５の風船を圧縮空気を放出して膨らませ墜落落下による衝突時の衝撃を緩和させるようにしたものである。
【産業上の利用可能性】空中からの現場撮影、各種構造物のメンテナンス、物流手段、情報伝達手段として使用される産業用ドローンまたはホビー用のドローンにおいて墜落からのリスクを大幅に減少させることができる。
【符号の説明】１  ドローン                    ６  ノズル          １１  センサー群
２  墜落防止落下傘              ７  噴射圧縮空気    １２  動力モーター駆動部
３  移動用クレーン              ８  コントローラー  １３  墜落リスク低減制御部
４  動力供給兼用を含むワイヤー  ９  バッテリー      １４  異常検知部
５  圧縮空気タンク            １０  送受信アンテナ  １５  風船
【図１】
2018111474.tif 000003
【図２】
2018111474.tif 000004
【図３】
2018111474.tif 000005
【図４】
2018111474.tif 000006
【図５】
2018111474.tif 000007
(57)【要約】【課題】本発明は、ブレーキペダルとアクセルペダルの踏み間違いを起す欠点を無くす、アクセルペダルに嵩上げペダルを装着する嵩上げアクセルペダルを提供する。【解決手段】アクセルペダルに嵩上げペダルを装着する嵩上げアクセルペダルを設けたことを特徴とする。【特許請求の範囲】
【請求項１】
アクセルペダルに装着する嵩上げするもの嵩上げアクセルペダル
【請求項２】
アクセルペダルに嵩上げするペダルと嵩上げ高さ調節用部材を組合せ、結束バンド等で装着する請求項１記載の嵩上げアクセルペダル。
【発明の詳細な説明】
【技術分野】
【０００１】  本発明は、既存のアクセルペダルに嵩上げアクセルペダルを装着し、緊急の場合でも、ブレーキペダルとアクセルペダルの踏み間違いを防ぐ嵩上げアクセルペダルに関するものである。
【発明の概要】
【発明が解決しようとする課題】
【０００２】  これは次のような欠点があった
従来アクセルペダルを踏むと、ブレーキペダルより下の位置に、アクセルペダルが下るため、普通のブレーキ操作では、まず足を上げてから、横移動し、ブレーキペダルを踏めたのだったが、緊急の場合は、足を上げるのと横移動を同時に行ってしまうため、まだ足をブレーキペダルの上まで上げきっていない状態で横移動し、ブレーキペダルの側面に靴の側面が、当ってしまっていたのだった。意識としては、ブレーキペダルの上だと思い踏み込むと、ブレーキペダルとアクセルペダルの間隔が狭いため、アクセルペダルを踏み込んでしまっていたのだったが、本発明は以上のようなブレーキペダルとアクセルペダルの踏み間違う欠点をなくすためになされたものである。
【課題を解決するための手段】
【０００３】  既存のアクセルペダルに踏んだ時でもブレーキペダルより下にならない嵩上げペダルを装着する。本発明は以上の構成による嵩上げアクセルペグルである。
【発明の効果】
【０００４】  アクセルペダルに、踏み込んでもブレーキペダル上面より下にならない嵩上げペダルを装着している構成になる。緊急の場合の足の上げ不足によるブレーキペダルの側面に靴の側面が当ってしまう状況が解消され、足の横移動だけでブレーキペダルの上にたっしブレーキペダルを踏むことが可能になり、ブレーキペダルとアクセルペダルの踏み間違いを起すことが解消される。
(57)【要約】【課題】  本発明は、小さく丸くなった消しゴムを誰でも簡単に使いきることが出来る、消しゴムの補助器具を提供する。【解決手段】  本発明のＶ字型（１）に先端突起（２）を設け、Ｖ字部分両サイドに指ストッパー（３）を設ける。  小さく丸くなった消しゴムを、本発明のＶ字型（１）で挟み、消しゴムを固定し使用する。  以上を特徴とする小さく丸くなった消しゴムを誰でも簡単に最後まで使いきる事が出来る消しゴムの補助器具。【選択図】図１
2018111300.tif 000002
【特許請求の範囲】
【請求項１】
本発明のＶ字型（１）の先端に消しゴムを固定する突起（２）を設け、Ｖ字型両サイドに指ストッパーを設けた形状とする。
以上を特徴とする、小さく丸くなった消しゴムを誰でも簡単に最後まで使いきることが出来る消しゴム補助器具。
【発明の詳細な説明】
【技術分野】
【０００１】  本発明は、小さく丸くなった消しゴムを誰でも簡単に最後まで使いきることが出来る、消しゴムの補助器具に関するものである。
【背景技術】
【０００２】  従来、小さく丸くなってしまった消しゴムに装着し使いやすくする補助器具は無かった。
【先行技術文献】
【特許文献】
【０００３】
【特許文献１】
【発明の概要】
【発明が解決しようとする課題】
【０００４】  これは次のような欠点があった。
従来、消しゴムを使用していると、どんどん削れ、どの消しゴムも最終的には小さく丸くなる。これを使用する時には、コロコロと転がって紛失してしまったり、小さくて持ちにくくなったりし、最後まで使いきる事が困難になるという問題があった。
本発明は、これらの問題点を解決するためになされたものである。
【課題を解決するための手段】
【０００５】  Ｖ字型（１）の先端に消しゴムを固定させる突起（２）を設け、Ｖ字型（１）の両サイドに指ストッパー（３）を設ける。
本発明に小さく丸くなった消しゴムをはさみ、突起（２）で固定する。
以上を特徴とする、小さく丸くなった消しゴムを誰でも簡単に使いきることが出来る消しゴムの補助器具である。
【発明の効果】
【０００６】  本発明の形状Ｖ字型（１）に、小さく丸くなった消しゴムをはさみ、突起（２）で消しゴムを固定する事により、小さく丸くなった消しゴムを簡単に使いやすくすることが出来る。
また、消しゴムを本発明に装着することにより、小さく丸くなった消しゴムの転がり防止にもなる。
さらに、消しゴムが削れてくると、（２）で固定し直し、最後まで消しゴムを使いきることが出来る。
なお、本発明を使用する時に指の収まりが良くなるように指ストッパー（３）が設けてあることにより、誰でも簡単に使用する事が出来る。
【図面の簡単な説明】
【０００７】
【図１】本発明の斜視図である。
【図２】本発明の側面図である。
【図３】本発明の装着時の説明図である。
【図４】本発明の使用時の説明図である。
【発明を実施するための形態】
【０００８】  以下、本発明の実施の形態について説明する。
本発明のＶ字型（１）の先端に突起（２）を設け、Ｖ字型（１）の両サイドに指ストッパー（３）を設ける。
本発明は以上のような構造である。
これを使用するときには、
小さく丸くなった消しゴムをＶ字型（１）で挟み先端突起（２）で消しゴムを固定し使用する。
【符号の説明】
【０００９】１  本発明本体Ｖ字型部分
２  Ｖ字型先端の突起部分
３  指ストッパー
４  消しゴム
【図１】
2018111300.tif 000003
【図２】
2018111300.tif 000004
【図３】
2018111300.tif 000005
【図４】
2018111300.tif 000006